(57)【特許請求の範囲】
【請求項１】
浴室ドアの取付枠の下枠部に、この下枠部内に侵入する水を洗い場に排水させる排水口が浴室内に開口面を臨ませて形成され、この排水口が形成された下枠部と上記の洗い場との間の段差を解消するためのスロープが下枠部の長手方向の側面に沿って浴室内の位置に形成され、このスロープの傍らに排水専用部材が設けられ、この排水専用部材に上記の排水口から流出する水を洗い場に導くための排水路が溝状に形成されていることを特徴とする浴室出入口の下部構造。
【請求項２】
請求項１記載の浴室出入口の下部構造であって、排水路がスロープの両端に夫々形成され、この排水路の流入口と対向する下枠部の位置に排水口が形成されたことを特徴とする浴室出入口の下部構造。
【請求項３】
請求項１又は２記載の浴室出入口の下部構造であって、浴室ドアの浴室側の下部に、浴室ドアの閉塞時に、スロープの上面に下縁が当接する防水ブレードが浴室ドアの横方向の全長にわたって設けられたことを特徴とする浴室出入口の下部構造。
【請求項４】
請求項１乃至３の何れかに記載の浴室出入口の下部構造であって、スロープに取付用の取付部材が形成され、この取付部材を介してスロープが下枠部の長手方向の側面に沿って浴室内の位置に脱着自在に設けられたことを特徴とする浴室出入口の下部構造。
【請求項５】
請求項１乃至３の何れかに記載の浴室出入口の下部構造であって、スロープが洗い場と一体成形されてなることを特徴とする浴室出入口の下部構造。
【発明の詳細な説明】
【０００１】
【発明の属する技術分野】
本発明は、浴室出入口の下部構造に関し、更に詳しくは浴室出入口の下枠部に侵入する水を洗い場に排水でき、しかも浴室への出入りを安全容易にできるよう形成した浴室出入口の下部構造に関するものである。
【０００２】
【従来の技術】
従来、浴室出入口の下枠部内に侵入した水を除去できるものとしては、例えば実開平６ー３０３９４号公報記載のドアユニットがある。この公知文献には、下枠部の浴室側の側面に排水孔を開口し、この排水孔を介して下枠部内の水を洗い場に排水する構造が開示されている。
【０００３】
【発明が解決しようとする課題】
ところでこの種のドアユニットは、下枠部の排水孔を介して水を洗い場に排水させるものであるから、下枠部が洗い場より一段高くなり、浴室出入口に段差ができるのを避けられない。
【０００４】
従ってこの種のドアユニットを使用すると、例えば歩行が不自由な身障者や、老人、幼児等が浴室に出入りする際、上記の段差で躓いたり、又車椅子に乗ったまま浴室に出入りすることができない、という問題点があった。
【０００５】
本発明は、このような従来技術の問題点に鑑み、提案されたものである。
従って本発明の技術的課題は、浴室出入口の下枠部に侵入した水を洗い場に直接排水でき、しかも下枠部と洗い場との間の段差による、浴室出入の不便さを解消できるよう形成した浴室出入口の下部構造を提供することにある。
【０００６】
【課題を解決するための手段】
本発明は、上記の課題を解決するために、次のような技術的手段を採る。
【０００７】
即ち本発明は、図１に示されるように、浴室ドア１の取付枠２の下枠部３に、この下枠部３内に侵入する水を洗い場５に排水させる排水口４が浴室６内に開口面を臨ませて形成され、この排水口４が形成された下枠部３と上記の洗い場５との間の段差を解消するためのスロープ７が下枠部３の長手方向の側面に沿って浴室６内の位置に形成され、このスロープ７の傍らに排水専用部材１０が設けられ、この排水専用部材１０に上記の排水口から流出する水を洗い場に導くための排水路９が溝状に形成されていることを特徴とする（請求項１）。
【０００８】
本発明の場合、スロープ７は、下枠部３の長手方向の側面に沿って連続状に、且つ下枠部３の全長にわたって形成されるのが好ましいが、これに限定されるものではない。又スロープ７は、図４に示されるように、上面に滑り止め用の凹凸部７ａが形成されるのが好ましい。この凹凸部７ａは、図示されるような突条のほか、多数の突起等によるのでも良い。なお本発明の場合、スロープ７の勾配や傾斜面の幅等は任意である。又スロープ７は、図５に示されるように、延長部材１１を介して下枠部３に連結されるのでも良い。
【０００９】
又本発明の場合、浴室ドア１は引き戸やアコーデオン式の折り畳み戸でも良く、開き戸に限定されるものではない。従って下枠部３は、図６、図１０に示されるように、敷居状に形成されるのでも良く、この場合は仕切り部３ａの適宜箇所に、排水用の開口部３ｂが形成されると良い。この開口部３ｂは、図示されるように窓状に形成されるのでも、或いは切欠状に形成されるのでも良い。
【００１０】
又本発明は、図１等に示されるように、排水路９がスロープ７の両端に夫々形成され、この排水路９の流入口と対向する下枠部３の位置に排水口４が形成されるのが好ましい（請求項２）。
【００１１】
この場合は、スロープ７の両端に排水路９が形成されるから、浴室６の出入口の踏面から外れた位置に排水できる。又排水口４が排水路９の流入口に対向しているから、これによれば、排水口４から水を排水路９に円滑に導いて排水できる。
【００１２】
而して本発明の場合、排水路９はスロープ７の片方の端部に設けられるのでも、又図１１に示されるように、スロープ７の端部から所要の長さだけ内方寄りに形成されるのでも良い。即ち排水路９は、要はスロープ７の傍らに形成されるのであれば良い。なお図１１に示されるように、排水路９が内方寄りに形成される場合は、排水口４が目に付きにくくなるよう、排水路９の流入口からずらした下枠部３の位置に、排水口４が形成されるのが好ましい。
【００１３】
又本発明の場合、スロープ７から独立した排水専用部材１０の外形状は、例えば図７に示されるように、外側部１０ａを傾斜面状に形成するのでも良く、任意である。本発明は、排水専用部材１０により、スロープ７の端部の意匠性、化粧性を向上できる。
【００１４】
又本発明は、図８等に示されるように、浴室ドア１の浴室６側の下部に、浴室ドア１の閉塞時に、スロープ７の上面に下縁１２ａが当接する防水ブレード１２が浴室ドア１の横方向の全長にわたって設けられるのが好ましい（請求項３）。
【００１５】
この場合は、スロープ７と浴室ドア１との隙間から水が下枠部３内に流入するのを、防水ブレード１２で防止できる。従ってこれによれば、浴室ドア１の下部の水密性を向上できる、という利点がある。なお防水ブレード１２の下縁１２ａは、スロープ７の上面に密着するのが好ましいから、この防水ブレード１２はラバーや軟質性の樹脂材等で変形性を有するよう形成されるのが良い。
【００１６】
又本発明の場合は、図４、図５に示されるように、スロープ７に取付用の取付部材７ｂが形成され、この取付部材７ｂを介してスロープ７が下枠部３の長手方向の側面に沿って浴室６内の位置に脱着自在に設けられるのが好ましい（請求項４）。
【００１７】
この場合本発明は、スロープ７を、下枠部３と洗い場５の床面に嵌合させて脱着自在に設けるのが好ましいが、これに限られず、その他例えば係合手段、ビス止め手段により、取り外し自在に設けるのでも良い。
【００１８】
本発明が、請求項４記載のように構成される場合は、スロープ７を簡単、迅速に施工でき、又長さや幅などが異なるスロープ７を適宜選定することが可能になるから、これによれば、スロープ７のバリエーションが豊富になり、浴室６の出入口の形態を好みの状態に簡単に施工できる。又この場合は、スロープ７を取り外すことにより、下枠部３、洗い場５、更にはスロープ７自体の清掃を容易にできる、という利点がある。
【００１９】
更に本発明は、図１１等に示されるように、スロープ７が洗い場５と一体成形されてなるのでも良い（請求項５）。
【００２０】
この場合は、スロープ７を現場で取り付ける作業を省略できるから、これによれば、その分、浴室６の施工に係る手間暇を軽減できる。
【００２１】
【発明の実施の形態】
以下、本発明の好適な一実施形態を添付図面に従って説明する。
【００２２】
図１等において、１は浴室ドアである。この浴室ドア１は、この実施形態では開き戸状に形成されている。２はこの浴室ドア１の取付枠であり、３はこの取付枠２の下枠部である。又４は、この下枠部３内に侵入する水を洗い場５に排水させるための排水口である。この排水口４は、後述する排水路９の流入口に開口面を対向させ、浴室６に開口面を臨ませた状態で下枠部３に形成されている。
【００２３】
７は、下枠部３と洗い場５との間の段差を解消するためのスロープである。このスロープ７は、下枠部３の長手方向の側面に沿って浴室６内の位置に形成され、又この実施形態ではその上面に、滑り止め用の凹凸部７ａとしての突条を平行状に複数備えてなる。又このスロープ７は、この実施形態では図４に示されるように、洗い場５と下枠部３に取り付けられた雄形の嵌合部材８と嵌合する、取付用の取付部材７ｂとしての雌形部を備え、下枠部３と洗い場５に嵌着されている。
【００２４】
９は、上記の排水口４から流出する水を、洗い場５に導くための排水路である。この排水路９は、この実施形態では排水専用部材１０に溝状に形成されている。排水専用部材１０は、スロープ７の両端部に連接するよう洗い場５に嵌着され、スロープ７の傍らに設けられている。なお排水路９は、水切りが良くなるよう、洗い場５に向かって下り勾配に形成されている。
【００２５】
而して本発明の場合、下枠部３内の水は、図２、図３に示されるように、排水口４から排水路９を経て洗い場５に排水される。この場合、水はスロープ７の両側から排水されるから、浴室６の出入口の踏面を濡らすことがない。
【００２６】
【発明の効果】
以上説明したように本発明は、浴室ドアの取付枠の下枠部に、この下枠部内に侵入する水を洗い場に排水させる排水口を浴室内に開口面を臨ませて形成し、この排水口を形成した下枠部と上記の洗い場との間の段差を解消するためのスロープを下枠部の長手方向の側面に沿って浴室内位置に形成し、このスロープの傍らに排水専用部材を設け、この排水専用部材に上記の排水口から流出する水を洗い場に導くための排水路を溝状に形成しているものである。
【００２７】
従って本発明の場合は、下枠部内に侵入した水を洗い場に直接排水でき、しかも下枠部と洗い場との間にできる段差をスロープで解消できる。それ故これによれば、浴室に出入りする際の不便さを一掃でき、車椅子等に乗ったままで出入りが可能になる。
【図面の簡単な説明】
【図１】本発明構造の好適な一実施形態を示す要部斜視図である。
【図２】同上構造の要部斜視図である。
【図３】図２のＩＩＩーＩＩＩ線における断面図である。
【図４】スロープの他の実施形態を示す要部断面図である。
【図５】スロープが延長部材を介して設けられた状態を示す要部断面図である。
【図６】浴室ドアが引き戸の場合の下枠部を示す要部断面図である。
【図７】排水専用部材の他の実施形態を示す要部斜視図である。
【図８】防水ブレードが設けられた状態を示す要部斜視図である。
【図９】図８の実施形態の要部断面図である。
【図１０】図８の実施形態で浴室ドアが引き戸の場合の下枠部を示す要部断面図である。
【図１１】スロープが洗い場と一体状に形成された状態を示す要部斜視図である。
【図１２】図１１のＸＩＩーＸＩＩ線における要部断面図である。
【符号の説明】
１    浴室ドア
２    取付枠
３    下枠部
４    排水口
５    洗い場
６    浴室
７    スロープ
９    排水路
【図１】
0003546760.tif 000002
【図２】
0003546760.tif 000003
【図３】
0003546760.tif 000004
【図４】
0003546760.tif 000005
【図５】
0003546760.tif 000006
【図６】
0003546760.tif 000007
【図７】
0003546760.tif 000008
【図８】
0003546760.tif 000009
【図９】
0003546760.tif 000010
【図１０】
0003546760.tif 000011
【図１１】
0003546760.tif 000012
【図１２】
0003546760.tif 000013